(57)【特許請求の範囲】
【請求項１】
バンド装着部を有する一方の係止具と、バンド装着部を有する他方の係止具と、前記他方の係止具に回動自在に取り付けられると共に、前記一方の係止具が前記他方の係止具に係止されたとき前記一方の係止具の表面に重合可能なセフティーカバーと、前記一方の係止具と他方の係止具とに設けられてこれらを係合する第１の係合手段と、押圧操作によって第１の係合手段の係合を解除する前記一方の係止具に設けられた第１のプッシュボタンと、前記一方の係止具と他方の係止具とに設けられ、前記セフティーカバーが一方の係止具の表面に重合された状態で、前記一方の係止具とセフティーカバーとを係合する第２の係合手段と、押圧操作によって第２の係合手段の係合を解除する前記一方の係止具に設けられた第２のプッシュボタンとを備え、前記セフティーカバーは、前記一方の係止具の表面に重合された時に、第１のプッシュボタンが嵌合する凹部を有することを特徴とするバンドの中留。
【請求項２】
前記セフティーカバーは、前記他方の係止具に係止された前記一方の係止具の表面から遠ざかる方向に付勢されていることを特徴とする請求項１に記載されたバンドの中留。
【請求項３】
前記他方の係止具は、バンド装着部の反対端が前記一方の係止具の裏面に枢着されると共に、中間部において折り畳み自在であることを特徴とする請求項１又は２に記載されたバンドの中留。
【請求項４】
前記第１及び第２の係合手段は、前記一方の係止具の内部に近接離間自在に配置されると共に、接近方向に付勢された一対の係止片と、前記他方の係止具及び前記セフティーカバーにそれぞれ設けられ、前記一対の係止片の間で抜挿されると共に、接近状態の一対の係止片に係合される係合突起とからなることを特徴とする請求項１乃至３のいずれかに記載されたバンドの中留。
【請求項５】
前記第１の係合手段の係合突起は前記他方の係止具の表面に設けられ、該第１の係合手段の係合突起が挿入される開口部が、前記一方の係止具の裏面に、第１の係合手段の一対の係止片間に臨むように形成され、前記第２の係合手段の係合突起は前記セフティーカバーの裏面に設けられ、該第２の係合手段の係合突起が挿入される開口部が、前記一方の係止具の表面に、第２の係合手段の一対の係止片間に臨むように形成されたことを特徴とする請求項４に記載されたバンドの中留。
【請求項６】
前記一方の係止具の表面に、前記セフティーカバーを嵌合する溝が形成されたことを特徴とする請求項１乃至５のいずれかに記載されたバンドの中留。
【発明の詳細な説明】
【０００１】
【発明の属する技術分野】
本発明は、腕時計用バンド、ブレスレット等の装飾具に的するバンドの中留に関する。
【０００２】
【従来の技術】
バンドの一端に係止部材を固着し、バンドの他端に、この係止部材と係止可能な可動係止部材を内蔵する止具本体を取り付け、押圧操作によって係止部材と可動係止部材の係合を解除するプッシュボタンを止具本体に設け、止具本体の外側に枠体を回動可能に装着し、枠体を倒したときにプッシュボタンを押圧できないようにしたバンドの中留が実公昭６１−４２４０６号公報、実公昭６１−４２４０５号公報、実行並５−４５２１０号公報等に開示されている。
【０００３】
これらの中留によれば、枠体を倒すことによってプッシュボタンの没入を規制し、これにより、係止部材と可動係止部材とが離脱してバンドが脱落するのを防ぐことができる。
しかし、バンドを外すときに、枠体を手動によって引き起こさなければならないので操作が面倒であって、係止部材と可動係止部材の係合をワンタッチで解除できるようにしてもあまり意味がない。また、枠体は係止止具の側に係止されていないため、使用中に震動等により枠体が回動してプッシュボタンに対する規制がなくなってしまう虞がある。
【０００４】
【発明が解決しようとする課題】
本発明は、一方の係止具と他方の係止具及び一方の係止具とセフティーカバーをそれぞれ確実に固定することができ、簡単な操作で容易に取り外すことができるバンドの中留を提供することを目的とする。
【０００５】
【課題を解決するための手段】
本発明のバンドの中留は、バンド装着部を有する一方の係止具と、バンド装着部を有する他方の係止具と、前記他方の係止具に回動自在に取り付けられると共に、前記一方の係止具が前記他方の係止具に係止されたとき前記一方の係止具の表面に重合可能なセフティーカバーと、前記一方の係止具と他方の係止具とに設けられてこれらを係合する第１の係合手段と、押圧操作によって第１の係合手段の係合を解除する前記一方の係止具に設けられた第１のプッシュボタンと、前記一方の係止具と他方の係止具とに設けられ、前記セフティーカバーが一方の係止具の表面に重合された状態で、前記一方の係止具とセフティーカバーとを係合する第２の係合手段と、押圧操作によって第２の係合手段の係合を解除する前記一方の係止具に設けられた第２のプッシュボタンとを備え、前記セフティーカバーは、前記一方の係止具の表面に重合された時に、第１のプッシュボタンが嵌合する凹部を有する。
【０００６】
一方の係止具と他方の係止具及びセフティーカバーと一方の係止具が、第１の係合手段及び第２の係合手段を介してそれぞれ個別に確実に係合される。
セフティーカバーを他方の係止具に係止された一方の係止具の表面に重合することにより、第１のプッシュボタンの移動を規制して、一方の係止具と他方の係止具の不意の離脱を防ぐ。
第１のプッシュボタン及び第２のプッシュボタンを押圧操作することによって、一方の係止具と他方の係止具及びセフティーカバーと一方の係止部材の係合がいずれもワンタッチで簡単に解除される。
【０００７】
セフティーカバーが、他方の係止具に係止された一方の係止具の表面から遠ざかる方向に付勢されることは、第２の係合手段を係合解除するだけで、セフティーカバーが一方の係止具の表面から押し上げられ、これにより、第１のプッシュボタンの規制が解けるので望ましい。
【０００８】
他方の係止具を、そのバンド装着部の反対端を一方の係止具の裏面に枢着すると共に、中間部において折り畳み自在とすることは、止具を外したときにバンドの端部間が連結されるので、バンド落下の事故を防ぐことができて望ましい。
【０００９】
第１及び第２の係合手段を、一方の係止具の内部に近接離間自在に配置されると共に、接近方向に付勢された一対の係止片と、該一対の係止片の間に抜挿され、接近状態の一対の係止片に係合される他方の係止具及びセフティーカバーにそれぞれ設けられた係合突起とから構成することは、セフティーカバー、一方の係止具及び他方の係止具を重ねて押し付けるだけで、第１及び第２の係合手段を係合することができるので望ましい。
【００１０】
第１の係合手段の係合突起が他方の係止具の表面に設けられ、第１の係合手段の係合突起を挿入する開口部が、一方の係止具の裏面に、第１の係合手段の一対の係止片間に臨むように形成され、第２の係合手段の係合突起がセフティーカバーの裏面に設けられ、該第２の係合手段の係合突起を挿入する開口部が、一方の係止具の表面に、第２の係合手段の一対の係止片間に臨むように形成されることある。
【００１１】
一方の係止具の表面に、セフティーカバーが嵌合される溝を形成することは、中留の表面が滑らかになって外観がすっきりすると共に、薄型化されるので望ましい。
【００１２】
【発明の実施の形態】
図１乃至図４は、三ッ折式の腕時計用バンドの中留１を示す。
バンドの中留１はステンレス、アルミニウム合金、チタン、チタン合金等の金属を素材とし、バンド２の一端に装着される一方の係止具３と、バンド２の他端に装着される他方の係止具４と、バンド２の他端に回動自在に取り付けられてバンド２を跨ぐ枠状のセフティーカバー５とを備える。
【００１３】
一方の係止具３は、図２に示すように、長手方向に沿って表面凸に湾曲するカバー状に形成される。図４及び図７に示すように、一方の係止具３の長手方向中間部の裏面には、凸状部６が一体に形成され、凸状部６の長手方向一側にバンド挿入凹部７が形成されると共に、長手方向他側にピン嵌合凹部８が形成される。また、一方の係止具３の両側壁には、バンド挿入凹部７に向けて、バンド２の一端と一方の係止具３とを軸着する取り付けピン（図示せず）を挿通するための貫通孔９が穿設されてバンド装着部とされている。
【００１４】
図３に示すように、一方の係止具３の表面には、セフティーカバー５を嵌合する溝１０が形成されている。この溝１０は、長手方向一方に凸に湾曲した平面形状を有する。
また、凸状部６の裏面中央に形成した凹部６ａには、図４に示すように、凹部６ａから突出する中空管１７を有する支持体１７ａが幅方向に沿って設けられ，ピン１７ｂ，１７ｂで支持されている。
【００１５】
図１及び図３に示すように、凸状部６の長手方向他側部に、それぞれ幅方向に沿って摺動する一対の係止片１１，１１が内蔵される。図５に示すように、係止片１１，１１の外側端部は凸状部６から外方に突出して第１のプッシュボタン１２となっている。
係止片１１，１１の内側端部は幅狭く形成されると共に、一対の係止片１１，１１がすれ違うように幅方向中心を通過して延びており、その先端が互いに接近するようにＬ状に形成されてそれぞれ係合部１３が形成されている。左右の係合部１３はやや間隔をあけて対向配置され、その対向縁の表面側が切欠かれて段部１４が形成されると共に、段部１４の反対側は傾斜面とされている。
【００１６】
左右の係止片１１，１１の側縁において、対向する係止片１１の係合部１３の先端とプッシュボタン１２とにそれぞれ係合段部２６が形成される。また、一方の係止片１１のプッシュボタン１２に形成された係合段部２６と他方の係止片１１の係合部１３先端に形成された係合段部２６との間にコイルバネ１５が介在される。そして、このコイルバネ１５によって、両側の係合部１３は幅方向中心部に向かって、すなわち互いに接近する方向に付勢されると共に、第１のプッシュボタン１２は凸状部６から突出するように付勢されている。
また、左右の係止片１１，１１の係合段部２６と反対の側縁に凹陥部２７が形成されると共に、凸状部６に固定されたストッパーねじ２８が凹陥部２７に係合される。このストッパーねじ２８は、常態において、凹陥部２７の係合部１３寄りの縁に当接している。
【００１７】
そして、第１のプッシュボタン１２を押圧すると、コイルバネ１５が押し縮められて左右の係合部１３が遠ざかるが、凹陥部２７のプッシュボタン１２寄りの縁がストッパーねじ２８に当接した位置でそれ以上の移動が規制される。また、第１のプッシュボタン１２を放すと、コイルバネ１５の付勢力によって係止片１１，１１が元の位置に復帰し、左右の係合部１３が再び接近するようになっている。
さらに、図４に示すように、凸状部６の裏面において、左右の係合部１３の間に臨む位置に開口部１６が穿設される。
【００１８】
図１及び図３に示すように、凸状部６の凹部６ａを挟む長手方向一側部にも係止片１１，１１とほぼ同じ構成の一対の係止片１１ａ，１１ａが内蔵される。係止片１１ａ，１１ａの外側端部は凸状部６の外方に突出して第２のプッシュボタン１２ａとなっている。
なお、係止片１１ａ，１１ａの係合部１３ａは裏面側が切欠かれて段部１４ａが形成され、左右の係合部１３ａの間に臨む開口部１６ａは、凸状部６の表面において溝１０の底部に穿設される。
【００１９】
図３及び図４に示すように、他方の係止具４は、バンド２の他端に取付けられる外枠１８と、一方の係止具３の裏面に枢着される中板１９とを有する。
外枠１８は、長手方向に沿って表面凸に湾曲され、その長手方向一端の両側に取り付けピン支持脚２０がそれぞれ設けられる。また、外枠１８の長手方向他端から一端寄りにかけて中板１９が嵌合される切欠溝２１が形成される。
【００２０】
外枠１８の長手方向一端部の表面に、先端が径大の係合突起２２が形成される。この係合突起２２は、一方の係止具３に内蔵される一対の係止片１１，１１と共に第１の係合手段を構成する。
【００２１】
中板１９は、外枠１８と同じ曲率で湾曲され、切欠部２１に嵌合された時に、外枠１８と同一の湾曲面に含まれるようになっている。また、中板１９の一端は切欠溝２１の先端に挿入されて、外枠１８の他端にピン２３を介して回動自在に枢着される。さらに、中板１９の他端に形成された凹溝は中空管１７に嵌合され、中空管１７に挿通されるピン２３´を介して、中板１９の他端が一方の係止具３の裏面に回動自在に接合される。
従って、一方の係止具３と中板１９と外枠１８は、一方の係止具３を最も表にして三ッ折状に折り畳むことができる。なお、一方の係止具３、中板１９及び外枠１８を折り畳んだとき、外枠１８の係合突起２２は一方の係止具３の裏面に形成された開口部１６に臨むようになっている。
【００２２】
セフティーカバー５は、基端が外枠１８の取り付けピン支持脚２０の外側に取り付けられる左右の側壁２４と、側壁２４の先端間に架設される橋架部２５を有する。
そして、側壁２４の先端及び取り付けピン支持脚２０にバンド装着部となる取り付けピン３０が挿通されて、セフティーカバー５が外枠１８に回動自在に取付けられる。なお、取り付けピン３０の両端部にはコイルバネ３１が装着されてその一端が取り付けピン支持脚２０に、またその他端が側壁２４に固定され、このコイルバネ３１によってセフティーカバー５が外枠１８から遠ざかるように付勢されている。
【００２３】
図２に示すように、側壁２４の下部には凹部２９が形成される。この凹部２９は、セフティカバー５の橋架部２５を一方の係止具３の溝１０に嵌合した時、第１のプッシュボタン１２に嵌合するようになっている。凹部２９が第１のプッシュボタン１２に嵌合すると、側壁２４の厚みによって、指の腹で第１のプッシュボタン１２は凸状部６内に移動させることができない。
【００２４】
また、第４図に示すように、橋架部２５の頂部裏面には、先端が径大の係合突起２２ａが形成される。この係合突起２２ａは、一方の係止具３に内蔵される他の一対の係止片１１ａ，１１ａと共に第２の係合手段を構成する。なお、セフティーカバー５を一方の係止具３の表面に被せたとき、係合突起２２ａは一方の係止具３の表面に形成された開口部１６ａに臨むようになっている。
【００２５】
バンドの中留１は、次のように使用される。
バンド２の一端が一方の係止具３のバンド挿入凹部７に差し込まれ、バンド２の一端部及び貫通孔９に図示しない取り付けピンを挿通して、一方の係止具３がバンド２の一端に回動自在に取付けられる。
また、バンド２の他端が外枠１８の取り付けピン支持脚２０の間に挿入されて取り付けピン３０によって取り付けられる。
【００２６】
バンドの中留１を係止するときは、図１及び図２に示すように、他方の係止具４を折り畳んで中板１９を外枠１８の切欠溝２１に嵌合し、折り畳まれた他方の係止具４を一方の係止具３の裏面に重ねて止具１を三ッ折にする。三ッ折にした状態では、外枠１８の取り付けピン支持脚２０、側壁２４の基端内側部及び取り付けピン３０は一方の係止具３のピン嵌合凹部８に嵌合する。
【００２７】
そして、一方の係止具３を裏面側に押圧すると、図６に示すように、外枠１８の係合突起２２が開口部１６の内部に挿入され、係合突起２２の先端が対向する係合部１３を押し分けてその下方まで進入する。係合突起２２の最大径の部分が係合部１３の最も張り出した部分を通過すると、係止片１１，１１はコイルバネ１５の弾発力によって元の位置に復帰し、係合突起２２の先端部が段部１４に係合する。この結果、係合突起２２及び係止片１１，１１で構成される第１の係合手段を介して一方の係止具３と他方の係止具４が係合される。
【００２８】
次いで、セフティーカバー５を一方の係止具３の表面に折り重ねて、橋架部２５を一方の係止具３の溝１０に嵌合する。さらに、セフティーカバー５を裏面側に押圧すると、第１の係合手段と同様に、係合突起２２ａが開口部１６ａ内に挿入され、係合突起２２ａ及び係止片１１ａ，１１ａで構成される第２の係合手段が係合され、一方の係止具３とセフティーカバー５とが係止される。
また、この状態では、凹部２９が第１のプッシュボタン１２の周囲を囲むように嵌合されるので、止具１の側面が物に当たったりしても第１のプッシュボタン１２が凸状部６の内部に移動することがなく、このため、一方の係止具３と他方の係止具４との係合が外れる心配がない。
【００２９】
バンドの中留１は次のようにして外すことができる。
まず、第２のプッシュボタン１２ａを指で押して凸状部６の内部に向けて移動すると、係止片１１ａ，１１ａの係合部１３ａ，１３ａが遠ざかる。すると、係合突起２２ａがフリーになって第２の係合手段が解除され、取り付けピン３０に装着されたバネ３１によりセフティーカバー５が跳ね上げられる。セフティーカバー５が開くと、凹部２９に嵌合されていた第１のプッシュボタン１２が露出する。
次に、第１のプッシュボタン１２を押して第２の係合手段と同様に第１の係合手段を解除し、一方の係止具３を他方の係止具４から引き起こす。
【００３０】
なお、本発明のバンドの中留は、三ッ折式とせず、一方の係止具と他方の係止具が分離されるタイプのものであっても良い。
また、本発明の中留で係止されるバンドは腕時計用に限定されず、ブレスレット等の装身具にも使用できる。
【００３１】
【発明の効果】
請求項１の構成によれば、一方の係止具と他方の係止具及びセフティーカバーと一方の係止具が、それぞれ個別に確実に係合されるので、安全性が高い。
また、セフティーカバーが一方の係止具の表面に重合されているときは、第１のプッシュボタンが係合解除する方向に移動することがないので、使用中に中留が物に当たったりしても、不意に中留が外れてバンドが落下する心配がない。  さらに、第１のプッシュボタン及び第２のプッシュボタンを押圧操作することによって、一方の係止具と他方の係止具及びセフティーカバーと一方の係止部材の係合をいずれもワンタッチで簡単に解除することが可能である。
【００３２】
請求項２の構成によれば、第２のプッシュボタンを押して第２の係合手段を係合解除すると、セフティーカバーが自動的に跳ね上げられて第１のプッシュボタンの規制が解除されるので、中留を簡単に外すことができる。
【００３３】
請求項３の構成によれば、中留を外してもバンドの端部間が連結されているので、バンド落下の事故を防ぐことができる。
【００３４】
請求項４の構成によれば、セフティーカバー、一方の係止具及び他方の係止具を重ねて押し付けるだけで、第１及び第２の係合手段を容易に係合することができる。
【００３５】
請求項６の構成によれば、中留を係止した状態では、表面に凹凸が形成されずに外観がすっきりすると共に、薄型化されるので、意匠的に優れているばかりか、邪魔にならずに使い勝手が良い。
【図面の簡単な説明】
【図１】本発明の実施形態を示すバンドの中留の係止時の平面図
【図２】同上の側面図
【図３】係合を解除したバンドの中留の表面図
【図４】同上の裏面図
【図５】第１及び第２の係合手段の表面図
【図６】同上の要部側面図
【図７】一方の係止具の端面図
【符号の説明】
１  バンドの中留
２  バンド
３  一方の係止具
４  他方の係止具
５  セフティーカバー
６  凸状部
７  バンド嵌合凹部
８  ピン嵌合凹部
９  貫通孔（バンド装着部）
１０  溝
１１，１１ａ  係止片
１２  第１のプッシュボタン
１２ａ  第２のプッシュボタン
１３，１３ａ  係合部
１４，１４ａ  段部
１５  コイルバネ
１６，１６ａ  開口部
１７  中空管
１８  外枠
１９  中板
２０  ピン支持脚
２１  切欠溝
２２，２２ａ  係合突起
２３，２３´  ピン
２４  側壁
２５  橋架部
２６  係合段部
２７  凹陥部
２８  ストッパーねじ
２９  凹部
３０  取り付けピン（バンド装着部）
３１  コイルバネ
【図１】
0003641653.tif 000002
【図２】
0003641653.tif 000003
【図３】
0003641653.tif 000004
【図４】
0003641653.tif 000005
【図５】
0003641653.tif 000006
【図６】
0003641653.tif 000007
【図７】
0003641653.tif 000008